(57)【要約】【課題】  装置外に現金を回収することなく、現金処理装置の運用パターンを簡易に変更する。【解決手段】  本発明の現金処理装置は、それぞれ紙幣を金種別に収納する複数の紙幣収納手段と、各前記紙幣収納手段に設定される金種の組合せを金種設定パターンとして複数記憶した金種設定パターン記憶手段と、所定の起動条件成立時に、前記紙幣収納手段内の紙幣を収集する紙幣収集手段と、各前記紙幣収納手段に対する前記紙幣収集手段による紙幣収集の有効あるいは無効の設定の組合せを、紙幣収集設定パターンとして複数記憶した紙幣収集設定パターン記憶部と、前記金種設定パターンの切替条件となる金種設定パターン切替条件が成立した場合は、各前記紙幣収納手段に対する金種設定を、前記金種設定パターン切替条件に対応する前記金種設定パターンに切り替えると共に、前記紙幣収集設定パターンを切替後の前記金種設定パターンに対応するものに切り替える切替手段と、を備える。【選択図】  図９
2005084914.tif 000002
【特許請求の範囲】
【請求項１】
複数金種の紙幣を入出金処理する現金処理装置であって、
それぞれ紙幣を金種別に収納する複数の紙幣収納手段と、
各前記紙幣収納手段に設定される金種の組合せを金種設定パターンとして複数記憶した金種設定パターン記憶手段と、
所定の起動条件成立時に、前記紙幣収納手段から所定枚数の紙幣を収集する紙幣収集手段と、
各前記紙幣収納手段に対する前記紙幣収集手段による紙幣収集の有効あるいは無効の設定の組合せを、紙幣収集設定パターンとして複数記憶した紙幣収集設定パターン記憶部と、
前記金種設定パターンの切替条件となる金種設定パターン切替条件が成立したか否かを判断する条件成立判断手段と、
前記条件成立判断手段によって前記金種設定パターン切替条件が成立したと判断された場合は、各前記紙幣収納手段に対する金種設定を、前記金種設定パターン切替条件に対応する前記金種設定パターンに切り替えると共に、前記紙幣収集設定パターンを切替後の前記金種設定パターンに対応するものに切り替える切替手段と、
を備えた現金処理装置。
【請求項２】
複数金種の紙幣を入出金処理する現金処理装置であって、
それぞれ紙幣を金種別に収納する複数の紙幣収納手段と、
各前記紙幣収納手段に設定される金種の組合せを金種設定パターンとして複数記憶した金種設定パターン記憶手段と、
所定の起動条件成立時に、前記紙幣収納手段から所定枚数の紙幣を収集する紙幣収集手段と、
前記金種設定パターンに基づいて、前記紙幣収納手段ごとに前記紙幣収集手段による紙幣の収集の有効あるいは無効を判断する自動収集判定部と、
前記金種設定パターンの切替条件となる金種設定パターン切替条件が成立したか否かを判断する条件成立判断手段と、
前記条件成立判断手段によって前記金種設定パターン切替条件が成立したと判断された場合は、各前記紙幣収納手段に対する金種設定を、前記金種設定パターン切替条件に対応する前記金種設定パターンに切り替える切替手段と、
を備えた現金処理装置。
【請求項３】
複数金種の紙幣を入出金処理する現金処理装置であって、
それぞれ紙幣を金種別に収納する複数の紙幣収納手段と、
各前記紙幣収納手段に設定される金種の組合せを金種設定パターンとして複数記憶した金種設定パターン記憶手段と、
前記金種設定パターンの切替条件となる金種設定パターン切替条件が成立したか否かを判断する条件成立判断手段と、
前記条件成立判断手段によって前記金種設定パターン切替条件が成立したときに切り替える次の金種設定パターンを特定する特定手段と、
前記条件成立判断手段によって前記金種設定パターン切替条件が成立したと判断された場合は、各前記紙幣収納手段に対する金種設定を、前記次の金種設定パターンに切り替える切替手段と、
指定額の紙幣を出金する出金手段であって、現在の金種設定パターンと、前記次の金種設定パターンとを比較し、比較の結果、金種が変更される前記紙幣収納手段が存在する場合は、金種が変更される前記紙幣収納手段から優先的に出金を行う出金手段と、
を備えた現金処理装置。
【請求項４】
前記条件成立判断手段によって前記金種設定パターン切替条件が成立したと判断された場合は、前記金種設定パターンの切替えによって前記金種設定が変化する前記紙幣収納手段内に収納された紙幣を、前記金種設定パターンの切替後にその金種の紙幣を収納する前記紙幣収納手段に移動することを制御する紙幣移動制御手段をさらに備えたことを特徴とする請求項１乃至３のいずれかに記載の現金処理装置。
【請求項５】
前記金種設定パターン切替条件として、前記金種設定パターンを切り替えることを指示するデータが操作部から入力されたこと、設定時刻になったこと、及び予め設定された出金件数を全て処理したことの少なくともいずれかを保持する金種設定パターン切替条件保持手段をさらに備えることを特徴とする請求項１乃至４のいずれかに記載の現金処理装置。
【発明の詳細な説明】
【技術分野】
【０００１】
本発明は、複数金種の紙幣を入出金処理する現金処理装置に関する。
【背景技術】
【０００２】
一般の金融機関などに設置される出納システム（現金処理装置）は、近年大量の入出金を効率よく取り扱うために入金機能・出金機能・整理機能を一体化して備えている。
【０００３】
各店舗は、効率良く出納システムを運用するため、出納システムの納品前に、金種別の入金量又は出金量を予め想定しておき、出納システムの納品時には、予め想定した入金量又は出金量に基づき、保守員によりカセット毎に金種設定を行う。
【０００４】
また、各カセットには、金種設定と共に、自動収集の開始枚数及び終了枚数を設定する。自動収集は、バラ紙幣を収納するカセット内に所定枚数（開始枚数）の紙幣が蓄積されたら、所定枚数（終了枚数）分を残し、それ以外は、束紙幣を収納するカセットに束化して搬送する、あるいは各種紙幣を混合状態に格納するカセットに搬送する処理である。
【０００５】
ところで、現状の保険業務取扱い金融機関では、朝には、保険契約満期による顧客への現金の支払のために、１万円札を主な金種とした、大量のバラ紙幣及び束紙幣の出金業務が集中する。また、夕方には、保険金の集金に基づく、種々の紙幣（万札、５千円札、２千円札、千円札）による大量の入金と、翌日の釣銭準備のための種々の紙幣による大量の出金があるという実状がある。
【０００６】
かかる実状に対しては、朝と夕方とで、出納システムの運用パターンを切り替えることが望まれる。例えば、１日の業務の中で、朝では、各カセットに対する金種として万札の設定を多くしたパターンとし、夕方では、種々の紙幣による入出金を可能としたパターンとする。そして、係員が業務中にこれらのパターンを簡易に切り替えることが望まれる。
【特許文献１】特公平８−３１１６５号公報
【発明の開示】
【発明が解決しようとする課題】
【０００７】
しかしながら、係員が、出納システムの運用パターンを切り替えるには、出納システム内の現金を全ていったん回収するとともに、各カセットに対する金種及び自動収集の開始枚数・終了枚数を新たに設定し直す必要があり、これでは、係員の操作はあまりに煩雑である。このため、出納システムの運用パターンは、上述した実状にも拘わらず、固定的に運用されているのが現実であった。
【０００８】
本発明は、上記問題点に鑑みてなされたものであり、その目的は、装置外に現金を回収することなく、運用パターンを簡易に変更できる現金処理装置を提供することにある。
【課題を解決するための手段】
【０００９】
本発明の第１の現金処理装置は、複数金種の紙幣を入出金処理する現金処理装置であって、それぞれ紙幣を金種別に収納する複数の紙幣収納手段と、各前記紙幣収納手段に設定される金種の組合せを金種設定パターンとして複数記憶した金種設定パターン記憶手段と、所定の起動条件成立時に、前記紙幣収納手段から所定枚数の紙幣を収集する紙幣収集手段と、各前記紙幣収納手段に対する前記紙幣収集手段による紙幣収集の有効あるいは無効の設定の組合せを、紙幣収集設定パターンとして複数記憶した紙幣収集設定パターン記憶部と、前記金種設定パターンの切替条件となる金種設定パターン切替条件が成立したか否かを判断する条件成立判断手段と、前記条件成立判断手段によって前記金種設定パターン切替条件が成立したと判断された場合は、各前記紙幣収納手段に対する金種設定を、前記金種設定パターン切替条件に対応する前記金種設定パターンに切り替えると共に、前記紙幣収集設定パターンを切替後の前記金種設定パターンに対応するものに切り替える切替手段と、を備えたものとして構成される。
【００１０】
本発明の第２の現金処理装置は、複数金種の紙幣を入出金処理する現金処理装置であって、それぞれ紙幣を金種別に収納する複数の紙幣収納手段と、各前記紙幣収納手段に設定される金種の組合せを金種設定パターンとして複数記憶した金種設定パターン記憶手段と、所定の起動条件成立時に、前記紙幣収納手段から所定枚数の紙幣を収集する紙幣収集手段と、前記金種設定パターンに基づいて、前記紙幣収納手段ごとに前記紙幣収集手段による紙幣の収集の有効あるいは無効を判断する自動収集判定部と、前記金種設定パターンの切替条件となる金種設定パターン切替条件が成立したか否かを判断する条件成立判断手段と、前記条件成立判断手段によって前記金種設定パターン切替条件が成立したと判断された場合は、各前記紙幣収納手段に対する金種設定を、前記金種設定パターン切替条件に対応する前記金種設定パターンに切り替える切替手段と、を備えたものとして構成される。
【００１１】
本発明の第３の現金処理装置は、複数金種の紙幣を入出金処理する現金処理装置であって、それぞれ紙幣を金種別に収納する複数の紙幣収納手段と、各前記紙幣収納手段に設定される金種の組合せを金種設定パターンとして複数記憶した金種設定パターン記憶手段と、前記金種設定パターンの切替条件となる金種設定パターン切替条件が成立したか否かを判断する条件成立判断手段と、前記条件成立判断手段によって前記金種設定パターン切替条件が成立したときに切り替える次の金種設定パターンを特定する特定手段と、前記条件成立判断手段によって前記金種設定パターン切替条件が成立したと判断された場合は、各前記紙幣収納手段に対する金種設定を、前記次の金種設定パターンに切り替える切替手段と、  指定額の紙幣を出金する出金手段であって、現在の金種設定パターンと、前記次の金種設定パターンとを比較し、比較の結果、金種が変更される前記紙幣収納手段が存在する場合は、金種が変更される前記紙幣収納手段から優先的に出金を行う出金手段と、を備えたものとして構成される。
【００１２】
本発明の第４の現金処理装置は、第１〜第３の現金処理装置において、前記条件成立判断手段によって前記金種設定パターン切替条件が成立したと判断された場合は、前記金種設定パターンの切替えによって前記金種設定が変化する前記紙幣収納手段内に収納された紙幣を、前記金種設定パターンの切替後にその金種の紙幣を収納する前記紙幣収納手段に移動することを制御する紙幣移動制御手段をさらに備えたことを特徴とする。
【００１３】
本発明の第５の現金処理装置は、第１〜第４の現金処理装置において、前記金種設定パターン切替条件として、前記金種設定パターンを切り替えることを指示するデータが操作部から入力されたこと、設定時刻になったこと、及び予め設定された出金件数を全て処理したことの少なくともいずれかを保持する金種設定パターン切替条件保持手段をさらに備えることを特徴とする。
【発明の効果】
【００１４】
本発明によれば、運用パターンを複数用意し、運用パターン毎に各紙幣収納手段の金種設定情報を用意したので、運用パターン毎に、異なる金種設定の運用が可能となる。また、現在の運用パターンと次回の運用パターンとで金種設定が変化する紙幣収納手段から優先的に出金を行うようにしたので、運用パターンの切替時に金種設定が変更される紙幣収納手段内の紙幣を可及的に少なくした状態で、次の運用パターンに移行できる。つまり、運用パターンの切替時における紙幣の移動時間を可及的に短く抑えることができる。また、自動収集機能の有効／無効の設定を紙幣収納手段ごとに可能にしたので、例えば設定を無効にすることで、大量出金に備えて用意した大量のバラ紙幣が、自動収集機能により束化等されてしまう事態を防ぐことができる。また、運用パターンの切替えにより金種設定が変化する紙幣収納手段内の紙幣を、運用パターンの切替え後にその紙幣を収納する紙幣収納手段に移動するようにしたので、装置外に現金を回収することなく、業務中に運用パターンを簡易に変更できる。
【発明を実施するための最良の形態】
【００１５】
以下、図面を参照しながら、本発明の実施の形態について説明する。
【００１６】
図１は、本発明の実施の形態としての現金処理装置の外観を示す斜視図である。
【００１７】
図２は、この現金処理装置の機能ブロック図である。
【００１８】
図１の現金処理装置は、各種紙幣及び各種硬貨による入出金処理を行うものである。この現金処理装置は、例えば、金融機関などに配置される。
【００１９】
この現金処理装置は、束紙幣（１束は例えば１００枚の紙幣からなる）を処理する束紙幣処理部Ｐ１と、バラ紙幣を処理するバラ紙幣処理部Ｐ２とからなる紙幣処理装置１を備える。
【００２０】
束紙幣処理部Ｐ１及びバラ紙幣処理部Ｐ２は、互いの対向面側において連結されている。束紙幣処理部Ｐ１は、束紙幣を出金するシャッタ開閉式の束出金口１１と、束紙幣を装置外に回収するシャッタ開閉式の束放出口１２とを備える。一方、バラ紙幣処理部Ｐ２は、バラ紙幣を入金する入金口１３と、バラ紙幣を出金する出金口１４とを備える。
【００２１】
また、この現金処理装置は、バラ硬貨を処理するバラ硬貨処理装置２、包装硬貨を処理する包装硬貨処理装置３、及び現金以外の有価証券類を投入する現金外ボックス４を備える。また、この現金処理装置は、システム全体を制御する端末部５、端末部５に各種の指示を与えるキーボード式操作部６、及び端末部５による指示に従ってシートに印字を行う外部プリンタ８を備える。
【００２２】
端末部５は、その一部として、表示部５ａ及びＩＤカードリーダ５ｂを備える。また、図２に示すように、端末部５は、各種プログラム及びデータを格納したＲＯＭ５ｄ、プログラムのロード領域や、プログラム実行時における作業領域となるＲＡＭ５ｅ、フレキシブルディスクに対してデータの読み書きを行うフレキシブルディスクドライブ５ｆ、各種プログラム及びデータを記憶したハードディスクドライブ５ｇ、ハードディスクドライブ５ｇやＲＯＭ５ｄ内に格納されたプログラムを実行等して、現金処理装置全体をコントロールする制御部５ｃを備える。上述のハードディスクドライブ５ｇ内には、例えば、各バラ紙幣カセット２３ａ〜２３ｄ及び束紙幣カセット４４ａ〜４４ｅ（図３及び図４参照）に対して設定された、金種、出金優先順位及び自動収集設定のデータ（後述）が格納されている。また、ＲＯＭ５ｄ内には、バラ紙幣カセット２３ａ〜２３ｄ及び束紙幣カセット４４ａ〜４４ｅに対して設定された金種を変更することを実現するプログラム、出金処理を実現するプログラム、自動収集処理を実現するプログラム等が格納されている。
【００２３】
一方、この現金処理装置は、外部の装置との間でデータ通信を行うための通信インターフェース（通信IF）９を備える。
【００２４】
上述した束紙幣処理部Ｐ１及びバラ紙幣処理部Ｐ２についてさらに詳しく説明する。
【００２５】
まず、バラ紙幣処理部Ｐ２について説明する。
【００２６】
図３は、バラ紙幣処理部Ｐ２の内部構造を模式的に示す断面図である。
【００２７】
このバラ紙幣処理部Ｐ２は、入金部１７に入金されたバラ紙幣を対応するバラ紙幣カセット２３ａ〜２３ｄ内に収納すると共に、各バラ紙幣カセット２３ａ〜２３ｄ内に収納された紙幣を取り出して、出金部２６等から出金するものである。より詳しくは以下の通りである。
【００２８】
図３に示すように、このバラ紙幣処理部Ｐ２は、大きく分けて、入出金処理部１５とバラ紙幣収納部１６とから構成される。
【００２９】
入出金処理部１５は、バラ紙幣の入金を受け付けて入金搬送経路Ｒ１に送出する入金部１７と、入金されたバラ紙幣の種類及び正損を判別する入金識別部１８と、入金識別部１８によって取扱不可と判断された紙幣を排出する入金リジェクト部（入金ＲＪ部）１９とを備える。入金部１７及び入金リジェクト部１９は、シャッタ開閉式の入金口１３を介して、その内部を、開放可能に構成されている。入金識別部１８の下流に配置された表裏反転部２０は、入金識別部１８によって取扱可能と判断された紙幣の表裏を所定の向きに統一して送り出す。表裏反転部２０のさらに下流には、上述したバラ紙幣収納部１６が配置されている。
【００３０】
バラ紙幣収納部１６は、入金搬送経路Ｒ１を搬送されてきたバラ紙幣を受け取って、一時的に保留する一時保留部２１、２２ａ〜２２ｄと、一時保留部２１、２２ａ〜２２ｄに一時的に保留された紙幣を収納する、バラ紙幣一括カセット２４及びバラ紙幣カセット２３ａ〜２３ｄとを備える。
【００３１】
各バラ紙幣カセット２３ａ〜２３ｄは、それぞれ特定の金種のバラ紙幣を格納する。例えば、バラ紙幣カセット２３ａ〜２３ｃは一万円札、バラ紙幣カセット２３ｄは千円札を収納する。即ち、バラ紙幣カセット２３ａ〜２３ｄの前段に配置された各一時保留部２２ａ〜２２ｄは、制御部５ｃによる制御により、それぞれ特定の紙幣を取り込み可能に構成されている。但し、後述するように、各バラ紙幣カセット２３ａ〜２３ｄに対する金種設定は、変更可能である。
【００３２】
一方、バラ紙幣一括カセット２４は、バラ紙幣カセット２３ａ〜２３ｄによって取り扱われない金種の紙幣を収納する。例えば、バラ紙幣一括カセット２４は、上述の例の場合、１万円札、千円札以外の紙幣、つまり、５千円札、２千円札を金種混合状態に収納する。また、バラ紙幣一括カセット２４は、各バラ紙幣カセット２３ａ〜２３ｄ内にバラ紙幣が入り切らなくなった場合に、各バラ紙幣カセット２３ａ〜２３ｄに代わってバラ紙幣を収納する。
【００３３】
各バラ紙幣カセット２３ａ〜２３ｄの下部には、出金時にバラ紙幣を搬送する出金搬送経路Ｒ２が形成されている。なお、バラ紙幣一括カセット２４内のバラ紙幣の回収は、筐体の前面を開いて、カセットごと回収する。
【００３４】
出金搬送経路Ｒ２の途中には、出金時にバラ紙幣の金種及び正損を判別する出金識別部２５が形成されている。この出金識別部２５の下流において、出金搬送経路Ｒ２は、出金部２６、出金リジェクト部（出金ＲＪ部）２８、及びスタッカ２９ａ、２９ｂに分岐する。
【００３５】
出金部２６は、出金識別部２５によって正常な紙幣と判断された紙幣を出金搬送経路Ｒ２から取り込む。バラ紙幣処理部Ｐ２は、開閉シャッタ式の出金口１４を開いて、出金部２６内の紙幣を取り出し可能状態に置く。
【００３６】
出金リジェクト部２８は、出金識別部２５により取扱不可と判断されたバラ紙幣を回収する。
【００３７】
スタッカ２９ａ、２９ｂは、束紙幣処理部Ｐ１（図１参照）にバラ紙幣を搬送して束化する際に、束化に必要な枚数分（例えば１００枚）を一時的に積み重ね状態に格納する。例えば、バラ紙幣カセット２３ａ〜２３ｄの紙幣が規定容量（例えば１２００枚）に達した場合や、端末部５からの指示があった場合などは、束化に必要な枚数分の紙幣が、順次、スタッカ２９ａ、２９ｂに搬送され、積み重ね状態に置かれる。
【００３８】
上述した入金搬送経路Ｒ１とこの出金搬送経路Ｒ２との間にはバイパス経路Ｒ３が形成されている。入金された紙幣をそのまま束化する場合などは、このバイパス経路Ｒ３を介して直接、スタッカ２９ａ、２９ｂに搬送する。
【００３９】
スタッカ２９ａ、２９ｂの後方には、スタッカ２９ａ、２９ｂ内からバラ紙幣の束を受け取って束紙幣処理部Ｐ１に搬送する束搬送ユニット３０が形成されている。
【００４０】
束搬送ユニット３０は、スタッカ２９ａ、２９ｂ内からバラ紙幣の束を受け取る一対の把持部３０ａと、把持部３０ａに保持されたバラ紙幣の束を束紙幣処理部Ｐ１に移動する移動部３０ｂとを備える。把持部３０ａは、前後方向に伸縮可能に構成されるとともに、上下２つのスタッカ２９ａ、２９ｂのそれぞれに対応して移動可能に構成される。
【００４１】
次に、束紙幣処理部Ｐ１について説明する。
【００４２】
図４は、束紙幣処理部Ｐ１の内部構造を模式的に示す断面図である。
【００４３】
束紙幣処理部Ｐ１は、バラ紙幣処理部Ｐ２から移動されたバラ紙幣の束を帯封して、対応する金種の束紙幣カセット４４ａ〜４４ｅに格納するとともに、束紙幣カセット４４ａ〜４４ｅ内に収納された束紙幣を取り出して、束出金口１１あるいは束放出口１２から出金するものである。より詳しくは以下の通りである。
【００４４】
図４に示すように、束紙幣処理部Ｐ１は、バラ紙幣の束を束搬送ユニット３０から受け取り、受け取ったバラ紙幣の束を結束帯Ｗで帯封する帯封部４１を備える。帯封部４１は、帯封された状態のバラ紙幣の束（束紙幣）を搬送経路Ｒ４内に送出する。
【００４５】
また、束紙幣処理部Ｐ１は、束紙幣を載せた状態で昇降通路４３内を垂直方向に移動して、目的の高さまで移動可能な昇降ステージ４２を備える。この昇降ステージ４２が移動する昇降通路４３は、上述の搬送経路Ｒ４と連通しており、昇降ステージ４２は、図中の高さｈ２に位置にて、帯封部４１からの束紙幣を受け取る。
【００４６】
また、束紙幣処理部Ｐ１は、帯封された束紙幣を収納する束紙幣カセット４４ａ〜４４ｅを備える。束紙幣カセット４４ａ〜４４ｅに束紙幣を収納する際は、昇降ステージ４２は、高さｈ３まで移動し、昇降通路４３と束紙幣カセット４４ａ〜４４ｅとを連結する搬送経路Ｒ５内に束紙幣を送り出す。各束紙幣カセット４４ａ〜４４ｅはそれぞれ特定の金種の束紙幣を取り込む。例えば、束紙幣カセット４４ａ〜４４ｃは一万円札の束紙幣、束紙幣カセット４４ｄは千円札の束紙幣、束紙幣カセット４４ｅはその他の金種の束紙幣（例えば複数金種の束紙幣の混合）を収納する。つまり、各束紙幣カセット４４ａ〜４４ｅの入口には、制御部５ｃによる制御により金種を識別する周知の仕組みが配置されており、束紙幣カセット４４ａ〜４４ｅは、対応する金種の束紙幣のみを取り込む。但し、後述するように、各束紙幣カセット４４ａ〜４４ｅに対する金種設定は変更可能である。
【００４７】
各束紙幣カセット４４ａ〜４４ｅは、出金時には、保有する束紙幣を昇降ステージ４２（高さｈ３）に向けて送り出し、束紙幣を受け取った昇降ステージ４２は、出金時用の高さｈ１まで移動する。束紙幣処理部Ｐ１は、開閉シャッタ式の束出金口１１を開いて、昇降ステージ４２上の束紙幣を取り出し可能状態に置く。一方、束紙幣の回収時には、昇降ステージ４２は、回収用の高さｈ４まで移動する。束紙幣処理部Ｐ１は、開閉シャッタ式の束放出口１２を開いて、昇降ステージ４２上の束紙幣を取り出し可能状態に置く。
【００４８】
ところで、上述したように、制御部５ｃ（図２参照）は、束紙幣カセット４４ａ〜４４ｅ及びバラ紙幣カセット２３ａ〜２３ｄに対する金種設定を変更可能に構成されている。また、制御部５ｃは、出金処理時において、出金対象とするカセットの優先順位を決定可能に構成されている。さらに、制御部５ｃは、各バラ紙幣カセット２３ａ〜２３ｄに対する自動収集機能の有効／無効を設定可能に構成されている。以下これらについて詳しく説明する。
【００４９】
図５は、束紙幣カセット４４ａ〜４４ｅ及びバラ紙幣カセット２３ａ〜２３ｄに設定された運用パターン例を表した運用パターンテーブルを示す図である。
【００５０】
図５に示すように、ここでは、２つの運用パターン、つまり、運用パターンＡ（万札出金過多運用パターン）と、運用パターンＢ（通常入金運用パターン）が示されている。
【００５１】
各運用パターンＡ、Ｂは、それぞれ、大きく３つの項目、すなわち、金種情報、出金優先順位及び自動収集設定からなる。
【００５２】
「金種情報」は、各束紙幣カセット４４ａ〜４４ｅ及びバラ紙幣カセット２３ａ〜２３ｄに対して設定された金種を示す。
【００５３】
「出金優先順位」は、同一金種のカセットが複数ある場合に、各カセットに対して設定された出金の優先順序である。例えば、運用パターンＡでは、万札を扱うバラ紙幣カセット２３ａ〜２３ｃに対して、それぞれ、優先順位３、１、２が設定されている。従って、万札の出金時には、まず、優先順位が１であるバラ紙幣カセット２３ｂから優先して出金され、バラ紙幣カセット２３ｂが空になった場合は、次に、優先順位が２であるバラ紙幣カセット２３ｃから出金される。このように出金の優先順序を設定する理由について説明すると以下の通りである。
【００５４】
即ち、後に詳しく述べるように、本実施の形態では、運用パターンＡ、Ｂは相互に変更可能である。そこで、例えば、運用パターンＡから運用パターンＢに変更した場合、図５に示すように、バラ紙幣カセット２３ｂ、２３ｃの金種設定は、それぞれ万札から、５千円札、２千円札に変更される。金種設定の変更の際は、後述するように、金種設定が変更されるカセット内の紙幣は、変更後にその紙幣を取り扱うカセットに移動される。この移動に要する時間は極力短いことが好ましい。そこで、例えば、バラ紙幣カセット２３ａ〜２３ｃのうち、金種設定が変更されるバラ紙幣カセット２３ｂ、２３ｃについては出金優先順位を高く設定し、金種設定が変更されないバラ紙幣カセット２３ａについては出金優先順位を低く設定する。これにより、運用パターンＡの運用時において、万札の出金は、バラ紙幣カセット２３ｂ、２３ｃから優先して行われるので、運用パターンの変更時には、バラ紙幣カセット２３ｂ、２３ｃ内の紙幣枚数を可及的に少なくできる。従って、紙幣の移動に要する時間は短くされる。なお、バラ紙幣カセット２３ｂ、２３ｃの優先順位はどちらが高くともかまわない。
【００５５】
以上の出金優先順位の設定方法としては、例えば、人間がキーボード式操作部６を用いて設定することがある。また、プログラムにより以下のステップ、即ち、（１）同じ金種が設定されているバラ紙幣カセットを抽出、（２）抽出されたバラ紙幣カセットについて、次回の運用パターン（後述）における金種設定を抽出、（３）現在の金種設定と変化がないバラ紙幣カセットは出金優先順位を低く設定、（４）現在の金種設定と変化があるバラ紙幣カセットについては出金優先順位を高く設定（複数のバラ紙幣カセットがある場合は、例えば奥又は手前から出金優先順位を高くする）、を実行してもよい。また、実際の出金時に、上のステップにより、出金優先順位を決定してもよい。
【００５６】
「自動収集設定」は、開始枚数、終了枚数、有効／無効設定からなり、バラ紙幣カセット２３ａ〜２３ｄに対してのみ設定される。開始枚数は、自動収集処理を開始する枚数である。終了枚数は、自動収集処理後に該当カセット内に残す紙幣枚数である。有効／無効設定は、自動収集を行うか否かの設定である。例えば、運用パターンＢでは、バラ紙幣カセット２３ａに対して、開始枚数７００枚、終了枚数３００枚が設定され、有効／無効設定は有効に設定されている。従って、バラ紙幣カセット２３ａでは、１万円札が７００枚に達すると、バラ紙幣収納のための容量を確保するために終了枚数の３００枚を残した状態（３００枚以下の紙幣を残した状態）となるまで万札を百枚単位で取り出すと共に、取り出した万札を束化して、金種に対応する束紙幣カセット４４ａ、４４ｂに収納する。あるいは、終了枚数となるまでバラ紙幣一括カセット２４に収納する。一方、運用パターンＡでは、図５に示すように、有効／無効設定は、全てのバラ紙幣カセットについて無効にされている。従って、いずれのバラ紙幣カセットについても紙幣の自動収集は行われない。この理由について説明すると以下の通りである。
【００５７】
即ち、本実施の形態において、運用パターンＡは、１万円札を主体とした大量のバラ紙幣等による出金業務が集中するケースを想定したパターンである。このため、各バラ紙幣カセット２３ａ〜２３ｄ内にはそれぞれ予め出金を想定した枚数分のバラ紙幣が格納される。かかる場合に、自動収集設定が有効であると、大量のバラ紙幣の出金に備えてせっかく用意したバラ紙幣が束化等され、この結果、出金時にバラ紙幣が不足する事態が生じ得る。そこで、このような事態の発生を防ぐべく、運用パターンＡでは自動収集設定を無効としている。
【００５８】
図６は、運用パターンＡ、Ｂの切替え条件を表す切替え条件テーブルの例を示す図表である。
【００５９】
図６に示すように、「オペレーションによる切替え」は、ユーザが、キーボード式操作部６（図１参照）を用いて、運用パターンＡ、Ｂ間を切り替える方式である。
【００６０】
「時間帯による切替え」は、予め設定した時間ごとに運用パターンＡ、Ｂ間を自動的に切り替える方式である。図６の例では、時刻ＸＸ：ＸＸ（例えば１１時００分）において運用パターンＡをＢに変更し、時刻ＹＹ：ＹＹ（例えば２１時００分）で運用パターンＢをＡに変更する。
【００６１】
「上記以外の条件による切替え」としては、例えば、予め設定した支払い予定件数（出金件数）の出金が全て終了した場合に運用パターンＡをＢに変更することがある。その他、日付が変わった時点で、運用パターンＢをＡに変更することなどがある。
【００６２】
ここで、「設定の有効性」は、上述の各切替え条件の有効及び無効を示す。少なくともいずれかの切替え条件の設定を有効とする。
【００６３】
図７は、運用パターンＡ、Ｂのいずれが有効であるかを設定する運用設定テーブルを示す図である。
【００６４】
図７に示すように、運用設定テーブルでは、現在有効の運用パターンと、次に有効とされる運用パターンとを設定する。この例では、現在は、運用パターンＡが有効であり、次回は、運用パターンＢが有効とされる。次の運用パターンは、上述の切替え条件テーブルに基づき自動的に設定される。あるいは、キーボード式操作部６を用いて、手動により設定する。運用パターンが２つしかない場合は、２つのパターンの他方を次パターンと自動判別することにより、次の運用パターンを特定するようにしても良い。
【００６５】
ここで、図５〜図７に示したテーブルを生成する処理（初期情報入力処理）について説明する。
【００６６】
図８は、初期情報入力処理を説明するフローチャートである。
【００６７】
まず、制御部５ｃ（図２参照）は、ユーザによるキーボード式操作部６への入力に基づいて、複数の運用パターン（ここでは運用パターンＡ、Ｂ）を運用パターンテーブル（図５参照）に登録する（ステップＳ１１）。
【００６８】
次いで、制御部５ｃは、ユーザによるキーボード式操作部６への入力に基づいて、運用パターン名（運用パターンＡ、Ｂ）と、現在及び次回において有効な運用パターン（フラグ）を運用設定テーブル（図７参照）に登録する（ステップＳ１２）。
【００６９】
次いで、制御部５ｃは、ユーザによるキーボード式操作部６への入力に基づいて、運用パターンの切替え条件、切替え内容及び設定の有効性を登録した切替え条件テーブル（図６参照）を作成する（ステップＳ１３）。
【００７０】
上述では、ユーザからのキーボード式操作部６への入力に基づいて各テーブルを作成したが、これは、例えば、次のようにして行ってもよい。即ち、各テーブルへの登録内容を記述したデータ等を予めフレキシブルディスクに格納しておくとともに、各テーブルを作成するためのプログラムを予めＲＯＭ５ｄ内に用意しておく。そして、フレキシブルディスクドライブ５ｆ内にフレキシブルディスクを挿入する。制御部５ｃによりフレキシブルディスク内の作成プログラムを読み出して実行し、これにより、ハードディスクドライブ５ｇ内に各テーブルを作成する。
【００７１】
次に、現金処理装置による処理について、運用パターン変更処理、出金処理及び自動収集処理の３つに分けて、説明する。
【００７２】
まず、運用パターン変更処理について説明する。
【００７３】
図９は、運用パターン変更処理を説明するフローチャートである。
【００７４】
図９に示すように、まず、制御部５ｃ（図２参照）は、切替え条件テーブル（図６参照）に示す切替え条件を満たす事象が発生したか否かを判断する（ステップＳ２１）。
【００７５】
制御部５ｃは、切替え条件を満たす事象は発生していないと判断した場合は（ステップＳ２１のＮＯ）、現在の運用（例えば運用パターンＡ）をそのまま継続する。
【００７６】
一方、制御部５ｃは、切替え条件を満たす事象が発生したと判断した場合は（ステップＳ２１のＹＥＳ）、運用設定テーブル（図７参照）により次の運用パターン（例えば運用パターンＢ）を特定した上、運用パターンテーブル（図５参照）を用いて、次の運用パターンにおける各カセットの設定金種を調べる。そして、制御部５ｃは、現在と次回とで、金種設定の変更が生じるか否かをカセットごとに判断する（ステップＳ２２）。
【００７７】
制御部５ｃは、いずれのカセットにも金種設定に変更が生じないと判断した場合は（ステップＳ２２のＮＯ）、運用設定テーブルを更新する（ステップＳ２５）。
【００７８】
一方、制御部５ｃは、金種設定が変更されるカセットが存在すると判断した場合は（ステップＳ２２のＹＥＳ）、金種設定が変更されるカセット内に紙幣が残存しているか否かを判断する（ステップＳ２３）。
【００７９】
制御部５ｃは、金種設定が変更されるいずれのカセットにも紙幣が残存していないと判断した場合は（ステップＳ２３のＮＯ）、運用設定テーブルを更新すると共に、各カセットに対する金種設定を変更する（ステップＳ２５）。
【００８０】
一方、制御部５ｃは、金種設定が変更されるカセット内に紙幣が残存しているものがあると判断した場合は（ステップＳ２３のＹＥＳ）、そのカセット内の紙幣を、その紙幣を取り扱うカセットに移動する（ステップＳ２４）。以下、これについて具体的例を用いて説明する。
【００８１】
図１０（ａ）及び図１０（ｂ）は、運用パターンＡ（図５参照）における、バラ紙幣処理部Ｐ２及び束紙幣処理部Ｐ１の運用状態を示す図である。
【００８２】
図１０（ａ）に示すように、バラ紙幣カセット２３ａ〜２３ｃに対する金種は、万札に設定され、バラ紙幣カセット２３ｄは、千円札に設定されている。一方、図１０（ｂ）に示すように、束紙幣カセット４４ａ〜４４ｅの金種は全て万札に設定されている。
【００８３】
図１１（ａ）及び図１１（ｂ）は、運用パターンがＡからＢに変更された際のバラ紙幣処理部Ｐ２及び束紙幣処理部Ｐ１の動作を説明する図である。
【００８４】
図１１（ａ）に示すように、バラ紙幣カセット２３ｂ、２３ｃに対する金種設定は、それぞれ万札から、５千円札、２千円札に変更される。そこで、バラ紙幣処理部Ｐ２は、制御部５ｃによる制御の下、バラ紙幣カセット２３ｂ、２３ｃ内の全ての万札を、万札を収納するバラ紙幣カセット２３ａに搬送する。搬送先のバラ紙幣カセット２３ａが規定容量（例えば１２００枚）に達した場合は、種々の金種の紙幣を収納するバラ紙幣一括カセット２４に搬送する。あるいは、バラ紙幣カセット２３ａ内から規定枚数を取り出してスタッカ２９ａ、２９ｂに搬送し、これにより空いたスペースに万札を収納する。スタッカ２９ａ、２９ｂに搬送された万札は、束紙幣処理部Ｐ１において束化して収納する。
【００８５】
一方、図１１（ｂ）に示すように、束紙幣カセット４４ｃ〜４４ｅに対する金種設定は、それぞれ万札から、５千円札、千円札、混合用に変更される。そこで、束紙幣処理部Ｐ１は、制御部５ｃによる制御の下、束紙幣カセット４４ｃ〜４４ｅ内の全ての万札束を、万札束を収納する束紙幣カセット４４ａ、４４ｂに搬送する。万札束は、図１１に示すように、昇降ステージ４２上にいったん取り出してから、束カセット４４ａ、４４ｂに搬送する。もちろん、取り出した万札束を、直接、束カセット４４ａ、４４ｂに搬送してもよい。
【００８６】
この後、制御部５ｃは、上述と同様に、運用設定テーブルを更新すると共に、各カセットに対する金種の設定を変更する（ステップＳ２５）。
【００８７】
次に、現金処理装置による出金処理について説明する。
【００８８】
図１２は、出金処理を説明するフローチャートである。
【００８９】
まず、制御部５ｃは、キーボード式操作部６等から、出金指示を受けたら、運用パターンテーブル（図５参照）に基づき、現在の運用パターンにおいて、少なくともいずれかのカセットに、出金優先順位が設定されているか否かを判断する（ステップＳ３１）。
【００９０】
制御部５ｃは、いずれのカセットにも出金優先順位が設定されていないと判断した場合は（ステップＳ３１のＮＯ）、予め決められたカセットから出金を行う（ステップＳ３４）。
【００９１】
一方、制御部５ｃは、少なくともいずれかのカセットに出金優先順位が設定されていると判断した場合は（ステップＳ３１のＹＥＳ）、次に、出金対象となる金種が設定されたカセットを特定し、特定されたカセットに出金優先順位が設定されているか否かを判断する（ステップＳ３２）。
【００９２】
制御部５ｃは、特定されたカセットに出金優先順位が設定されていないと判断した場合は（ステップＳ３２のＮＯ）、予め決められたカセットから出金を行う（ステップＳ３４）。
【００９３】
一方、制御部５ｃは、特定されたカセットに出金優先順位が設定されていると判断した場合は（ステップＳ３２のＹＥＳ）、出金優先順位の高いカセットから優先して出金を行う（ステップＳ３３）。制御部５ｃは、出金指示の金種の出金が全て終了したか否かを判別し（ステップＳ３５）、終了していなければ（ステップＳ３５のＮＯ）ステップＳ３１に戻り、終了していれば（ステップＳ３５のＹＥＳ）出金を終了し、出金口１４に出金した紙幣を取り出す。
【００９４】
次に、現金処理装置による自動収集処理について説明する。
【００９５】
図１３は、自動収集処理を説明するフローチャートである。
【００９６】
まず、制御部５ｃは、紙幣処理装置１等に投入された紙幣等を、対応するカセットに収納する入金処理を行う（ステップＳ４１）。制御部５ｃは、入金処理を行ったら、紙幣が収納されたカセットについて、自動収集設定が有効であるか否かを、運用パターンテーブル（図５参照）に基づいて、調べる（ステップＳ４１）。
【００９７】
制御部５ｃは、自動収集設定が無効であると判断した場合は（ステップＳ４１のＮＯ）、紙幣の収集処理を行わない。
【００９８】
一方、制御部５ｃは、自動収集設定が有効であると判断した場合は（ステップＳ４２）、該当するカセット内の紙幣が規定枚数（開始枚数）に達したか否かを判断する（ステップＳ４２）。
【００９９】
制御部５ｃは、カセット内の紙幣が開始枚数に達していないと判断した場合は（ステップＳ４２のＮＯ）、紙幣の収集処理を行わない。
【０１００】
一方、制御部５ｃは、カセット内の紙幣が開始枚数に達したと判断した場合は（ステップＳ４２のＹＥＳ）、カセット内に終了枚数分以下の紙幣を残し、それ以外の紙幣を１００枚単位で束紙幣処理部Ｐ１において束化して収納するか、あるいはカセット内に終了枚数分が残るようにバラ一括カセット２４に搬送する（ステップＳ４３）。自動収集の処理起動は、カセット内の状態を検知するセンサにより所定の状態が検出された場合、あるいは端末部５からの指示入力が行われた場合に行うようにしても良い。
【０１０１】
上述では、自動収集設定パターン（各運用パターンにおいて各カセットに設定された自動収集有無の組合せ）を記憶手段に記憶させ、この自動収集設定パターンに基づいて自動収集処理を行ったが、金種設定パターン（各運用パターンにおいて各カセットに設定された金種の組合せ）の内容に応じて各カセットの自動収集処理の有効／無効を判断する自動収集判定部を設け、自動収集判定部による判定内容に基づき自動収集処理を行うようにしてもよい。例えば、自動収集判定部が、金種設定パターンに基づき同一金種が複数設定されていると判断すれば、全てのカセットを「自動収集無し」とする。一方、同一金種が複数設定されていないと判断すれば、つまり、全てのカセットの金種が異なると判断すれば、全てのカセットを「自動収集有り」とする。
【０１０２】
上述した実施の形態では、運用パターンとして運用パターンＡ、Ｂの２パターンを用いたが、３パターン以上用意することも勿論可能である。
【０１０３】
また、端末部５内のＲＡＭ５ｅ、ＲＯＭ５ｄ、制御部５ｃ等が行っていること（例えば運用パターンテーブル等の各テーブルの保持、出金カセット優先順位処理など）を、各処理部Ｐ１、Ｐ２、２、３に適宜振り分けて分担させるようにしても良い。
【０１０４】
以上のように、本実施の形態によれば、出金処理時において、現在の運用パターンと次回の運用パターンとで金種設定が異なる紙幣収納手段から優先的に出金を行うようにしたので、金種設定が変更されるカセット内の紙幣枚数を可及的に少なくした状態で、現在の運用パターンを次の運用パターンに切り替えることができる。これにより、運用パターンの切替え時における紙幣の移動時間を可及的に短く抑えることができる。
【０１０５】
また、本実施の形態によれば、自動収集機能の有効／無効を設定可能にしたので、例えば設定を無効にすることで、大量出金に備えた用意した大量のバラ紙幣が、束化等されてしまう事態を防ぐことができる。
【０１０６】
また、本実施の形態によれば、予め設定した条件（例えば時間帯による条件、出金件数に基づく条件など）の成否によって運用パターンを自動的に切替え可能にしたので、柔軟性に富んだ現金処理装置の運用が可能となる。例えば、朝に万札を大量出金し、夕方に種々の紙幣を大量に入金するといった運用、つまり、朝と夕方で運用パターンを変更するといった運用も容易にできる。
【０１０７】
また、本実施の形態によれば、金種設定が変更されるカセット内の紙幣（バラあるいは束）を、直接、他のカセットに搬送するようにしたので、運用パターンの変更を迅速にできる。つまり、金種設定が変更されるカセット内の紙幣を、いったん別のところに収集してから他のカセットに移動する必要はないので、迅速に運用パターンを変更することが可能となる。
【０１０８】
また、本実施の形態によれば、金種設定が変更されないカセットについては紙幣を移動しないようにしたので、短時間で運用パターンを変更できる。
【図面の簡単な説明】
【０１０９】
【図１】本発明の実施の形態としての現金処理装置の構成を示す外観図である。
【図２】図１の現金処理装置の機能ブロック図である。
【図３】バラ紙幣処理装置の内部構成を示す断面図である。
【図４】束紙幣処理装置の内部構成を示す断面図である。
【図５】運用パターンテーブル例を示す図表である。
【図６】切替え条件テーブル例を示す図表である。
【図７】運用設定テーブル例を示す図表である。
【図８】初期情報入力処理を説明するフローチャートである。
【図９】現金処理装置の処理動作例を説明するフローチャートである。
【図１０】金種設定パターンＡの場合における紙幣処理装置の運用状況を示す図である。
【図１１】金種設定パターンがＡからＢに変更した場合における紙幣処理装置の動作を説明する図である。
【図１２】出金処理を説明するフローチャートである。
【図１３】自動収集処理を説明するフローチャートである。
【符号の説明】
【０１１０】
１  紙幣処理装置
２  バラ硬貨処理部
３  包装硬貨処理部
４  現金外ボックス
５  端末部
５ａ  表示部
５ｂ  ＩＤカードリーダ
５ｃ  制御部
５ｄ  ＲＯＭ
５ｅ  ＲＡＭ
５ｆ  フレキシブルディスクドライブ
５ｇ  ハードディスクドライブ
６  キーボード式操作部
８  外部プリンタ
Ｐ１  束紙幣処理部
Ｐ２  バラ紙幣処理部
１１  束出金口
１２  束放出口
１３  入金口
１４  出金口
１５  紙幣収納部
１６  入出金処理部
１７  入金部
１８  入金識別部
１９  入金ＲＪ部
２０  表裏反転部
２１、２２ａ〜２２ｄ  一時保留部
２３ａ〜２３ｄ  バラ紙幣カセット
２４  バラ紙幣一括カセット
２５  出金識別部
２６  出金部
２８  出金ＲＪ部
２９ａ、２９ｂ  スタッカ
３０  束搬送ユニット
３０ａ  把持部
３０ｂ  移動部
４１  帯封部
４２  昇降ステージ
４３  昇降通路
Ｒ１  入金搬送経路
Ｒ２  出金搬送経路
Ｒ３  バイパス経路
Ｒ４、Ｒ５  搬送経路
【図１】
2005084914.tif 000003
【図２】
2005084914.tif 000004
【図３】
2005084914.tif 000005
【図４】
2005084914.tif 000006
【図５】
2005084914.tif 000007
【図６】
2005084914.tif 000008
【図７】
2005084914.tif 000009
【図８】
2005084914.tif 000010
【図９】
2005084914.tif 000011
【図１０】
2005084914.tif 000012
【図１１】
2005084914.tif 000013
【図１２】
2005084914.tif 000014
【図１３】
2005084914.tif 000015